(57)【要約】【課題】横方向からの観察でも表示を良好に認識することができ、訴求効果が高い陳列棚を提供する。【解決手段】品物４を載置可能な載置台６ａ，６ｂ，６ｃと、載置台６ａ，６ｂ，６ｃに隣接して配置され、裏面側からプロジェクタ画像が投影され、表面に情報表示画像が表示される透過型のスクリーン７a，７ｂ，７ｃと、入力された表示画像データに基づいて前記プロジェクタ画像を投影するプロジェクタ２００と、を備える陳列棚システム１００において、スクリーン７a，７ｂ，７ｃを湾曲形成し、側方から視認可能な横向表示部とする。【選択図】図１
2008206552.tif 000002
【特許請求の範囲】
【請求項１】
品物を載置可能な載置台と、
入力された表示画像データに基づいてプロジェクタ画像を投影するプロジェクタを配置可能なプロジェクタ配置部と、
前記載置台に隣接して配置され、裏面側から前記プロジェクタ画像が投影され、表面に情報表示画像が表示されると共に、少なくとも一部において前記情報表示画像が載置台の正面方向に対して横方向に傾斜して表示される横向表示部を備えるスクリーンと、
を備えることを特徴とする陳列棚。
【請求項２】
前記横向表示部の表示面は少なくともその一部の面が湾曲した曲面で形成されていることを特徴とする請求項１記載の陳列棚。
【請求項３】
前記横向表示部の表示面は少なくともその一部の面が平面で形成されていることを特徴とする請求項１又は２記載の陳列棚。
【請求項４】
前記スクリーンは上下方向に複数設けられ、前記横向表示部は複数段設けられたスクリーンの少なくとも一つに配置されていることを特徴とする請求項１乃至３のいずれか記載の陳列棚。
【請求項５】
１段のスクリーンには、一又は複数の横向表示部が形成されていることを特徴とする請求項１乃至４のいずれか記載の陳列棚。
【請求項６】
品物を載置可能であって異なる高さ位置に配置された複数の載置台と、
前記載置台の上段の載置台又は上段に配置される部材に取り付けられて、前記載置台の前方上側に配置され、後方である裏面側から投影された画像を表面側に透過投影可能であり、表面に情報表示画像が表示されると共に、少なくとも一部において前記情報表示画像が載置台の正面方向に対して横方向に傾斜して表示される横向表示部を備える透過型スクリーンと、
一画面で構成されたプロジェクタ画像を投影するプロジェクタが配置されるプロジェク
タ設置部と、
前記複数の載置台の後側に配置され、前記プロジェクタからのプロジェクタ画像を略鉛
直方向に導くよう確保された鉛直投影領域と、
前記鉛直投影領域における前記複数の透過型スクリーンの設置の高さ位置に対応した高
さ位置に配置され、プロジェクタが投影する一画面のプロジェクタ画像の一部をなす分割
プロジェクタ画像を分離すると共に、この分割プロジェクタ画像を略水平方向に向け投影
するように偏向する複数の反射装置と、
各載置台の上側であって前記反射装置と前記透過型スクリーンとの間に配置され、前記各
分割プロジェクタ画像を水平方向に導き前記透過型スクリーンに投射するよう確保された
複数の画像水平投影領域と、を備える陳列棚。
【請求項７】
請求項１乃至６のいずれか記載の陳列棚のプロジェクタ配置部にプロジェクタを配置したことを特徴とする陳列棚システム。
【発明の詳細な説明】
【技術分野】
【０００１】
本発明は、陳列棚及び陳列棚システムに係り、特に品物を載置可能な載置台と、前記載置台に隣接して配置され、裏面側からプロジェクタ画像が投影され、表面に情報表示画像が表示される透過型のスクリーンと、入力された表示画像データに基づいて前記プロジェクタ画像を投影するプロジェクタと、を備える陳列棚及びこれを使用した陳列棚システムに関する。
【背景技術】
【０００２】
従来、品物を陳列する陳列棚は、代表的には小売業の店舗、例えばスーパーマーケットやコンビニエンスストア、ホームセンター、デパート内の各種商品の売場等で広く用いられている。小売業の店舗では、陳列棚に品物としての商品を陳列し、陳列する商品に対応付けて棚札が付けられる。この棚札は、対応付けられる商品の価格やその他の情報を顧客に示すことを目的としている。このような棚札として電子棚札が開発されている（特許文献１、特許文献２参照）。例えば、特許文献１の図６には、例えば液晶パネルや有機ＥＬパネル等によって棚札表示を行う陳列棚が開示されている。
【０００３】
小売業の店舗で用いられる陳列棚は、商品を陳列し、棚札や電子棚札を用いて陳列した商品の価格やその他の情報を示すことを主要な用途としている。これに対して、陳列棚に陳列した商品を顧客に注目させ、より多くの購買につなげる手法として、ＰＯＰ広告（Ｐｏｉｎｔ  ｏｆ  Ｐｕｒｃｈａｓｅ）という手法が従来多く用いられている。特許文献３には、陳列棚の天壁にプロジェクタとこのプロジェクタからの投影画像を透過投影するスクリーンとを設けた陳列棚（特許文献３ではショーケース）が開示されている。
【０００４】
このような技術を採用することで、通常は紙などの記録媒体に印刷されるＰＯＰ広告の取付作業を行うことなく、スクリーンに透過投影するプロジェクタ画像により、陳列棚に陳列された商品の展示効果を高めることができる。
【０００５】
【特許文献１】特開２００５−０９９８８８公報
【特許文献２】特開平７−１７６０８号公報
【特許文献３】特開２００１―２４５７５６号公報
【発明の開示】
【発明が解決しようとする課題】
【０００６】
ところで、特許文献１に開示されている電子棚札や、特許文献２に開示されている電子棚ラベルシステム、及び、特許文献３に開示されている陳列棚では、値段や広告の表示が平面として構成された表示面に表される。このため、正面から表示面の表示は見やすいものとなっているが、液晶表示装置の視野角が限られることもあり、表示面に対して角度をもった横位置からは、表示面の表示像は見にくいものとならざるを得ない。そのため、横方向からの観察者からは表示面の表示は見にくいものとなっている。このような横方向からの観察者は、陳列棚に横方向から近接してくるものであり、陳列棚の配置個所によっては多く存在する。
【０００７】
そこで、本発明は、横方向からの観察でも表示を良好に認識することができ、訴求効果が高い陳列棚を提供することを課題とする。
【課題を解決するための手段】
【０００８】
本発明において上記の課題を解決するための手段は、品物を載置可能な載置台と、入力された表示画像データに基づいてプロジェクタ画像を投影するプロジェクタを配置可能なプロジェクタ配置部と、前記載置台に隣接して配置され、裏面側から前記プロジェクタ画像が投影され、表面に情報表示画像が表示されると共に、少なくとも一部において前記情報表示画像が載置台の正面方向に対して横方向に傾斜して表示される横向表示部を備えるスクリーンと、を備えることを特徴とする陳列棚である。
【発明の効果】
【０００９】
本発明によれば、陳列棚のスクリーンにはその中間部が両端部より前方に位置し、横方向に向け傾斜して配置された横向表示部が設けられているから、スクリーンの表示を横方向からでも視認しやすくすることができ、訴求効果を高めることができる。
【発明を実施するための最良の形態】
【００１０】
以下本発明に係る陳列棚の実施の形態例を図１乃至図７に基づいて説明する。なお、本実施の形態は、陳列棚をスーパーマーケットに配置した陳列棚システムを例として説明する。
【００１１】
図１は陳列棚システムを示す模式図、図２は陳列棚の構成を示す図１中のＡ−Ａ線に相当する断面模式図、図３は陳列棚の構成を示す図２中のＢ−Ｂ線に相当する断面模式図である。
【００１２】
陳列棚システム１００は、店舗内に設置される陳列棚１０と、陳列棚１０の内部に設置されるプロジェクタ２００と、バックヤード３１０に配置される陳列棚１０の表示制御部であるコンピュータ３００とから構成されている。プロジェクタ２００とコンピュータ３００とは、回線１０１を介して接続されている。
【００１３】
陳列棚１０は、一対の側板３，３と、この側板３，３に挟まれる天井板２、奥板１２、底板１３及び下部前板１４によって構成される。
【００１４】
天井板２は、陳列棚１０の最上部で一対の側板３に挟まれ、陳列棚１０の上部を覆うように水平となるように固定されている。天井板２は、矩形状の後方部２ａと、その前縁を弧状をする前方部２ｂとからなり、両端部より中央部が前方に突出する略半円形状をなしている。
【００１５】
奥板１２は、陳列棚１０の背面に、下辺を床面１１に接し、上辺を天井板２に接続して、前記側板３，３に挟まれて鉛直となるように固定されている。下部前板１４は、陳列棚１０の前面の下方に、一対の側板３に挟まれて下辺を床面１１に接して、鉛直となるように固定されている。
【００１６】
そして、陳列棚１０は、前記側板３，３の間に形成され、プロジェクタ２００が配置される直方体形状の下部空間部１９と、この下部空間部１９の上方奥側に配置され、前記プロジェクタ２００のプロジェクタ画像が垂直方向に上方に向け投影される立方体形状の画像投影空間部１７とを備えて形成されている。
【００１７】
また、陳列棚１０には、品物４を載置可能な３段の載置台６ａ，６ｂ，６ｃ、即ち上段載置台６ａ、中段載置台６ｂ、下段載置台６ｃが配置されている。各載置台６ａ，６ｂ，６ｃはそれぞれ前記側板３，３に挟まれて水平となるように固定され、各載置台６ａ，６ｂ，６ｃの上部に商品４を載置可能な載置空間５ａ，５ｂ，５ｃが形成される。
【００１８】
ここで、上段載置台６ａ及び中段載置台６ｂは、前記天井板２と同様に両端部より中央部が前方に突出する半円形状に形成されており、それらの前縁は弧状をなしている。また、下段載置台６ｃは矩形をなし、その前縁は前記奥板１２と平行となるよう構成され下部前板１４の上縁と接続されている。
【００１９】
陳列棚１０には、前記画像投影空間部１７の前方に位置し、画像投影空間部１７から前側に突出配置された上段スクリーン７ａ、中段スクリーン７ｂ、下段スクリーン７ｃからなる３段のスクリーン７ａ，７ｂ，７ｃを備えている。上段スクリーン７ａは天井板２の弧状の前縁から垂下され、中段スクリーン７ｂは上段載置台６ａの弧状の前縁から垂下され、更に、下段スクリーン７ｃは中段載置台６ｂから垂下されている。そして、各スクリーン７ａ，７ｂ，７ｃはその両端部を側板３，３に接しており、側板３，３に接する両端部より中央部が前方に突出する弧状をなしている。このため、各スクリーン７ａ，７ｂ，７ｃは正対方向に対して横方向に向け傾斜して配置される横向表示部を構成することになる。
【００２０】
ここで、上段スクリーン７ａ、中段スクリーン７ｂ、下段スクリーン７ｃは、例えばポリカーボネート等の合成樹脂で形成され、裏面側から投影されるプロジェクタ画像を表面に透過投影可能な透過型のものである。
【００２１】
本例では、天井板２、載置台６ａ、及び、載置台６ｂの画像投影空間部１７からの突出寸法Ｄ１，Ｄ２，Ｄ３は、図２に示すように、Ｄ１＜Ｄ２＜Ｄ３となるようにしている。なお、載置台６ｂ及び載置台６ｃの突出量は同じ値としている。
【００２２】
各載置空間５ａ，５ｂ，５ｃの上方には、天板８ａ，８ｂ，８ｃが配置される他、載置空間５ａ，５ｂ，５ｃの奥側には奥板９ａ，９ｂ，９ｃが配置されている。そして、前記天板８ａと天井板２との間には、プロジェクタ２００からの投射光が通過する投影空間１０ａが、天板８ｂと載置台６ａとの間には投影空間１０ｂが、天板８ｃと載置台６ｂとの間には投影空間１０ｃが形成されている。
【００２３】
陳列棚１０の下部空間部１９内には、プロジェクタ２００が配置されるプロジェクタ設置部１９ａが設けられている。プロジェクタ設置部１９ａに配置されるプロジェクタ２００は、レンズ２０１から前記上段スクリーン７ａ、中段スクリーン７ｂ、下段スクリーン７ｃに向けて例えば液晶表示パネル２０２に一画面で構成されたプロジェクタ画像を投射する、液晶プロジェクタが採用される。
プロジェクタ２００は、回線１０１を介してバックヤード３１０に設置されたコンピュータ３００と接続されている。
【００２４】
前記画像投影空間部１７には、プロジェクタ２００から水平方向に投影されるプロジェクタ画像を上方に向け反射する主反射鏡２１と、主反射鏡２１で反射されたプロジェクタ画像を前記３つの投影空間１０ａ，１０ｂ，１０ｃに向け反射する３つの投影鏡２４ａ，２４ｂ，２４ｃが配置されている。主反射鏡２１及び投影鏡２４ａ，２４ｂ，２４ｃはいずれも、プロジェクタ画像を反射する鏡面を一方の面に備える平面鏡として構成される。
【００２５】
主反射鏡２１は、陳列棚１０の画像投影空間部１７の下部でプロジェクタ２００のレンズ２０１の高さに配置され、プロジェクタ２００から陳列棚１０の後方に向けて水平方向に投射されるプロジェクタ画像を、上方向に偏向させる向きに配置されている。
【００２６】
投影鏡２４ａ，２４ｂ，２４ｃは、陳列棚１０の画像投影空間部１７で主反射鏡２１の上方に、上段スクリーン７ａ、中段スクリーン７ｂ、下段スクリーン７ｃに対応付けて配置されている。これらの投影鏡２４ａ，２４ｂ，２４ｃはその上端を対応するスクリーン７ａ，７ｂ，７ｃの上縁部の高さ位置に合わせ、プロジェクタ画像をスクリーン７ａ，７ｂ，７ｃの裏面側に投影する向きに配置されている。即ち、投影鏡２４ａはプロジェクタ画像を上段スクリーン７ａの裏面側に投影する向きに、投影鏡２４ｂはプロジェクタ画像を中段スクリーン７ｂの裏面側に投影する向きに、投影鏡２４ｃはプロジェクタ画像を下段スクリーン７ｃの裏面側に投影する向きに、それぞれ配置される。そして、投影鏡２４ａ，２４ｂ，２４ｃはそれぞれ、陳列棚１０の前後方向に位置を違えて、主反射鏡２１によって偏向され下方から入射されるプロジェクタ画像を互いに遮らない位置関係に配置されている。
【００２７】
以上のような位置関係に配置された主反射鏡２１及び投影鏡２４ａ，２４ｂ，２４ｃで構成される光学系によって、プロジェクタ２００から投影されたプロジェクタ画像は、個々のスクリーン７ａ，７ｂ，７ｃの裏面側に分割して導かれる。そして、陳列棚１０では、以下のような画像が表示される。
【００２８】
即ち、陳列棚システム１００では、コンピュータ３００で作製された表示画像データをプロジェクタ２００に回線１０１を経由して送信され、プロジェクタ２００内に配置された画像メモリに格納され、その内容がプロジェクタ画像として投影される。
【００２９】
プロジェクタ２００は、コンピュータ３００から送信された画像データを受信し、受信した画像データに基づいて一画面で構成されたプロジェクタ画像を生成し、生成したプロジェクタ画像をスクリーン７ａ，７ｂ，７ｃに投影する。
【００３０】
コンピュータ３００は、処理ソフトウエアを実行し、キーボード３０３、マウス３０４の操作により、プロジェクタ２００が投影する画像を作成する。この画像は、ディスプレイ３０２に表示され、表示画像はそのままプロジェクタ２００が投影する画像となる。
【００３１】
本例では、プロジェクタ２００の液晶表示パネル２０２からの投影光がスクリーン７ａ，７ｂ，７ｃに合焦した像を結像するように位置が決定されている。ここで、各スクリーン７ａ，７ｂ，７ｃは、湾曲形成されているから、各スクリーン７ａ，７ｂ，７ｃに正確に合焦した像は結像されないが、プロジェクタ２００の焦点深度が深いため、スクリーン７ａ，７ｂ，７ｃにはプロジェクタ像が視認可能な状態で表示される。
【００３２】
コンピュータ３００は、その外観態様として、本体タワー３０１、ディスプレイ３０２、キーボード３０３、及びマウス等のポインティングデバイス３０４を備えて構成され、プロジェクタ２００が投射するプロジェクタ画像の画像データを管理する。
【００３３】
このような、陳列棚１０では、以下のような画像が表示される。即ち、陳列棚システム１００では、コンピュータ３００で作製された表示画像データをプロジェクタ２００にネットワーク１０１を経由して送信され、プロジェクタ２００内に配置された画像メモリに格納され、その内容がプロジェクタ画像として投影される。
【００３４】
以下、表示画像例について説明する。コンピュータ３００では、画像処理ソフトウエアを実行し、キーボード３０３、ポインティングデバイス３０４の操作により、プロジェクタ２００が投影する画像を作成する。この画像は、ディスプレイ３０２に表示され、表示画像はそのままプロジェクタ２００が投影する画像となる。
【００３５】
そして、このような操作により作成された画像が、各スクリーン７ａ，７ｂ，７ｃに投影される。
【００３６】
図４は陳列棚のスクリーンに表示される画像を示す模式図である。この例では、最上段のスクリーン７ａには、「××××」の表示３１、「○○○○」の表示３２、「△△△△」の表示３３が投影される。同様に中段のスクリーン７ｂには「△△△△」の表示３４、及び「□□□□」の表示３５、「××××」の表示３６、更に、下段のスクリーン７ｃには、「××××」の表示３７及び「○○○○」の表示３８、「○○○○」の表示３９が投影される。
【００３７】
これらの表示は、例えば商品名及び商品の価格等の商品情報とすることができる。また、商品のＰＯＰ広告を表示することができる。
【００３８】
次に陳列棚のスクリーンへの表示制御について説明する。図５は陳列棚システムの電気的構成を示すブロック図、図６は陳列棚システムの構成を示す機能ブロック図である。
【００３９】
コンピュータ３００は、プロジェクタ２００の表示制御部４１０として作動する。コンピュータ３００は、図５に示すように、ＣＰＵ４１１と、固定データを格納したＲＯＭ４１２と、処理プログラムを一時的に格納すると共にワークエリアとなるＲＡＭ４１３と、ＯＳや処理プログラム、データベース等を格納したハードディスクドライブ（ＨＤＤ）４１４をバスライン４１５で接続して構成している。また、表示制御部４１０は、ＣＤ-ＲＯＭドライブ４１６、前記ディスプレイ３０２、キーボード３０３、マウス３０４を図示しないインタフェースを介してバスライン４１５に接続して備えている。更に、バスライン４１５には、通信装置４１７を接続しており、通信装置４１７には、前記プロジェクタ２００が回線１０１を介して接続されている。
【００４０】
本例では、コンピュータ３００はＣＰＵ４１１で、処理プログラムを実行することにより、表示制御部４１０の作用をなす。また、ＨＤＤ４１４には表示画像データベース４２０が格納されている。
【００４１】
表示画像データベース４２０には、上段スクリーン７ａ、中段スクリーン７ｂ、及び下段スクリーン７ｃに表示する画像データが格納されている。これらの画像は陳列される商品４の名称価格等の商品情報である。これらの画像データは、コンピュータ３００で処理プログラムを実行してディスプレイ３０２で確認しながらキーボード３０３及びマウス３０４を操作して作成することができる他、商品４のメーカが提供するものを採用することができる。
【００４２】
これらの構成により、陳列棚１０の各スクリーン７ａ，７ｂ，７ｃに載置空間５ａ，５ｂ，５ｃに配置した商品４の商品情報や、ＰＯＰ広告を表示することができる。
【００４３】
そして、本例に係る陳列棚システム１００によれば、陳列棚１０のスクリーン７ａ，７ｂ，７ｃをその中間部が両端部より前方に位置する横向表示部を形成したから、図７に示すように、陳列棚１０の正面に位置する観者４１の他、陳列棚１０の横側に位置する観者４２，４３からもスクリーンの表示を視認しやすくすることができ、訴求効果を高めることができる
なお、上記例では、陳列棚システムにおいて、コンピュータをバックヤードに配置するものとして説明したが、コンピュータを陳列棚の内部に設けることができる。この場合、陳列棚に内蔵したコンピュータには画像データを内蔵させておくことができ、コンピュータによる表示画面を外部のコントロール用のコンピュータ等の装置で制御することができる。
【００４４】
また、上記実施例では、上中下の３段すべての載置台に配置される３つのスクリーンをすべて湾曲した形状のものとしたが、一部のスクリーン、例えば最上のスクリーン、あるいは最上及び中段のスクリーンを湾曲した形状のものとし、他のスクリーンを平面形状のものとしてもよい。
【００４５】
そして、前記例では、スクリーンの形状は、スクリーン全体として弧状をなすものとしたが、スクリーンの一部に横向表示部を形成するようにしてもよい。
【００４６】
図８は他の例に係る陳列棚を示すものである。図８（ａ）〜（ｇ）には、陳列棚の１段のスクリーンを模式的に示している。また、本例では陳列棚は、スクリーンの形状以外は、上述した陳列棚と同様の構成を備えるものである。
【００４７】
図８（ａ）に示した例では、スクリーン１１１の一端側に突出部１２１ａを形成し、突出部１２１ａの両側に横向表示部としてスクリーン１１１ａ，１１１ｂを配置している。また、本例ではスクリーン１１１ｃは正面を向く平面状のものとしている。本例では、スクリーン１１１ｃに表示された画像を正面から良好に視認することができる他、スクリーン１１１ａ，１１１ｂに表示されたプロジェクタ画像は側方（図中矢印で示した）から良好に視認でき、訴求力を良好なものとすることができる。
【００４８】
図８（ｂ）に示した例では、スクリーン１１２の中央部に突出部１２２を形成し、突出表示部１２２の両側に横向表示部としてスクリーン１１２ｂ，１１２ｄを配置している。また、スクリーン１１２の両端部に配置したスクリーン１１２ａ，１１２ｅ及び突出部１２２の頂部に配置したスクリーン１１２ｃは正面を向く平面状のものとしている。本例では、スクリーン１１２ａ，１１２ｃ，１１２ｅに表示された画像を正面から良好に視認することができる他、スクリーン１１２ｂ，１１２ｄに表示されたプロジェクタ画像は側方（図中矢印で示した）から良好に視認でき、訴求力を良好なものとすることができる。
【００４９】
図８（ｃ）に示した例では、スクリーン１１３の中央部に突出部１２３を形成し、突出部１２３の両側に横向表示部としてスクリーン１１３ａ，１１３ｂをなだらかな傾きをもって配置している。本例では、スクリーン１１３ａ，１１３ｂに表示された画像を正面及び側方（図中矢印で示した）から良好に視認でき、訴求力を良好なものとすることができる。
【００５０】
図８（ｄ）に示した例では、スクリーン１１４の両端部に突出部１２４ａ，１２４ｂを形成し、中央部から突出部１２４ａ，１２４ｂに向け横向表示部としてスクリーン１１４ａ，１１４ｂをなだらかな傾きをもって配置している。本例では、スクリーン１１４ａ，１１４ｂに表示された画像を正面及び側方（図中矢印で示した）から良好に視認でき、訴求力を良好なものとすることができる。
【００５１】
図８（ｅ）に示した例では、スクリーン１１５の両端に突出部１２５ａ，１２５ｂを形成し、突出部１２５ａの両側に横向表示部としてスクリーン１１５ａ，１１５ｂを、突出部１２５ｂの両側に横向表示部としてスクリーン１１５ｄ，１１５ｅを配置している。また、本例では両突出部１２５ａ，１２５ｂの間に配置するスクリーン１１５ｃは正面を向く平面状のものとしている。本例では、スクリーン１１５ｃに表示された画像を正面から良好に視認することができる他、スクリーン１１５ａ，１１５ｂ、１１５ｄ，１１５ｅに表示されたプロジェクタ画像は側方（図中矢印で示した）から良好に視認でき、訴求力を良好なものとすることができる。
【００５２】
図８（ｆ）に示した例では、スクリーン１１６の両側端部に突出部１２６ａ，１２６ｂを形成し、突出部１２６ａの内側に横向表示部としてスクリーン１１６ｂを、突出部１２６ｂの内側に横向表示部としてスクリーン１１６ｃを配置している。本例では突出部１２６ａの前側に配置したスクリーン１１６ａ、突出部１２６ｂの前側に配置したスクリーン１１６ｅ、両突出表示部１２６ａ、１２６ｂの間に配置したスクリーン１１６ｃは正面を向く平面状のものとしている。本例では、スクリーン１１６ａ，１１６ｃ，１１６ｅに表示された画像を正面から良好に視認することができる他、スクリーン１１６ｂ，１１６ｃに表示されたプロジェクタ画像は側方（図中矢印で示した）から良好に視認でき、訴求力を良好なものとすることができる。
【００５３】
図８（ｇ）に示した例では、スクリーン１１７の両端及び中央部に突出部１２７ａ，１２７ｂ，１２７ｃを形成し、突出部１２７ａの内側にスクリーン１１７ｂを、突出部１２７ｂの両側にスクリーン１１７ｄ，１１７ｆを、突出部１２７ｃの内側にスクリーン１１７ｈを傾斜させて配置している。また、本例では各突出部１２７ａ，１２７ｂ，１２７ｃの前側に配置したスクリーン１１７ａ、１１７ｅ、１１７ｉ、及び、各突出部１２７ａ，１２７ｂ，１２７ｃの間に配置するスクリーン１１７ｃ，スクリーン１１７ｇを平面状のものとして形成している。本例では、スクリーン１１７ａ，１１７ｃ，１１７ｅ，１１７ｇ，１１７ｉに表示された画像を正面から良好に視認することができる他、横向表示部として設けたスクリーン１１７ｂ，１１７ｄ、１１７ｆ，１１７ｈに表示されたプロジェクタ画像は側方（図中矢印で示した）から良好に視認でき、訴求力を良好なものとすることができる。
【図面の簡単な説明】
【００５４】
【図１】陳列棚システムを示す斜視模式図である。
【図２】陳列棚の構成を示す図１中のＡ−Ａ線に相当する断面模式図である。
【図３】陳列棚の構成を示す図２中のＢ−Ｂ線に相当する断面模式図である。
【図４】陳列棚のスクリーンに表示される画像を示す模式図である。
【図５】図５は陳列棚システムの電気的構成を示すブロック図である。
【図６】列棚システムの構成を示す機能ブロック図である。
【図７】陳列棚の視認性を示す斜視模式図である。
【図８】スクリーンの一部に突出表示部を形成した陳列棚の例を示すものである。
【符号の説明】
【００５５】
５ａ，５ｂ，５ｃ…載置空間、６ａ，６ｂ，６ｃ…載置台、７ａ，７ｂ，７ｃ…スクリーン（横向表示部）、１０…陳列棚、２００…プロジェクタ
【図１】
2008206552.tif 000003
【図２】
2008206552.tif 000004
【図３】
2008206552.tif 000005
【図４】
2008206552.tif 000006
【図５】
2008206552.tif 000007
【図６】
2008206552.tif 000008
【図７】
2008206552.tif 000009
【図８】
2008206552.tif 000010